(57)【要約】【課題】被計量物の欠片または屑の発生を抑制するとともに被計量物の欠片または屑を確実に除去することができ、被計量物への添加物の塊の混入を防止することができる組合せ計量機を提供することである。【解決手段】棒状の被計量物が複数の計量ホッパ１３によりそれぞれ計量され、重量値の合計が目標値となる計量ホッパ１３の組み合せが選択され、選択された計量部から被計量物が排出され、排出された被計量物が集合シュート部４００により集合される。集合シュート部４００は、計量ホッパ１３から排出された被計量物が滑走する傾斜した上シュート２２と下シュート３１とを有し、間に間隙が設けられる。被計量物の欠片および屑が間隙２８から自然落下する。【選択図】　　　　図１
2004093463.tif 000002
【特許請求の範囲】
【請求項１】
被計量物をそれぞれ計量する複数の計量部と、
前記複数の計量部のうち選択された計量部から排出された被計量物を集合させる集合部とを備え、
前記集合部は、前記選択された計量部から排出された被計量物が滑走する傾斜した滑走路を有し、前記滑走路中に間隙が設けられたことを特徴とする組合せ計量機。
【請求項２】
前記間隙の下方に前記間隙からの落下物を受ける第１の受け部をさらに備えたことを特徴とする請求項１記載の組合せ計量機。
【請求項３】
前記間隙の長さを調整する調整部をさらに備えたことを特徴とする請求項１または２記載の組合せ計量機。
【請求項４】
前記複数の計量部の各々は、
外側容器と、
前記外側容器の底部に開閉自在に設けられた扉と、
前記外側容器内に挿入された内側容器とを含み、
前記滑走路は前記内側容器の下方から延びるように配置されるとともに、前記滑走路の両側に前記外側容器内で前記内側容器外からの落下物を受ける第２の受け部を有することを特徴とする請求項１〜３のいずれかに記載の組合せ計量機。
【請求項５】
被計量物の滑走方向における前記間隙の長さが被計量物の長さよりも短いことを特徴とする請求項１〜４のいずれかに記載の組合せ計量機。
【請求項６】
前記複数の計量部は、鉛直軸を中心とする円周上に配置され、
前記集合部は、
前記複数の計量部の下方から前記鉛直軸に向かって斜め下方に傾斜する複数の第１の滑走路と、
前記第１の滑走路の下方に配置され、漸次径小となる略円錐形状の内面を有する第２の滑走路とを含み、
前記間隙は、前記第１の滑走路と前記第２の滑走路との間に設けられたことを特徴とする請求項１〜５のいずれかに記載の組合せ計量機。
【発明の詳細な説明】
【０００１】
【発明の属する技術分野】
本発明は、複数の計量部に供給された被計量物の重量を組み合わせることにより所定の目標重量の被計量物を得る組合せ計量機に関する。
【０００２】
【従来の技術】
従来、食品業界等においては、目標重量の被計量物を得るために組合せ計量機が用いられている。組合せ計量機では、円形に配置された複数の計量部に被計量物が分散供給され、複数の計量部に供給された被計量物の重量を組み合わせることにより目標重量の被計量物を得ることができる。
【０００３】
しかし、組合せ計量機において、おこしやせんべい等の脆くて砕け易い被計量物を取り扱う場合、被計量物同士の衝突により欠片や屑が生じる。正常な被計量物が欠片や屑とともに包装され販売されると、商品価値が低下する。
【０００４】
そのため、被計量物の欠片または屑を除去し、被計量物の商品価値を維持することができる組合せ計量機が提案されている（例えば、特許文献１参照）。
【０００５】
図６（ａ）は従来の組合せ計量機の正面図であり、図６（ｂ）は図６（ａ）の組合せ計量機における集合シュートの斜視図である。
【０００６】
図６（ａ）に示すように、組合せ計量機５０１では、商品供給路５０２より供給された被計量物が複数の計量部５１２に分散供給され、それぞれ計量されるとともに、その計量結果が組合せ演算され、演算結果の中から所定の目標重量を満たす最適の組合せが選択される。そして、選択された計量部５１２内の被計量物が下方へ排出され、排出された被計量物が集合シュート５２３によって集合された上で包装装置等（図示せず）に供給される。
【０００７】
図６（ｂ）に示すように、組合せ計量機の集合シュート５２３は、網状の主集合シュート５２４と主集合シュート５２４を外側から包囲するダストシュート５２５との２重構造を有する。それにより、被計量物から生じる欠片や屑が、主集合シュート５２４の網目を通過して、ダストシュート５２５の内面に沿って滑走し、ダスト排出口５２６から矢印Ｚで示すように外部に排出される。
【０００８】
このように、図６（ａ），（ｂ）に示した組合せ計量機５０１によれば、被計量物の欠片や屑を正常な被計量物より分離することが可能となり、被計量物の包装時に欠片または屑が混入しないため、商品価値の低下を防止することができる。
【０００９】
【特許文献１】
実公平４−２４４１９号公報
【００１０】
【発明が解決しようとする課題】
しかしながら、従来の組合せ計量機５０１では、スティック菓子のような、棒状の被計量物の相互衝突により生じた欠片または屑が組合せ計量機５０１の主集合シュート５２４の網目よりも大きい場合、その欠片または屑を除去できず、被計量物の包装時に欠片または屑が混入して商品価値を低下させることとなる。
【００１１】
また、被計量物には、粉体の調味料（シーズニング：ｓｅａｓｏｎｉｎｇ　）等が添加されている場合が多い。そのため、主集合シュート５２４の網目に調味料が固着し続け、長時間経過後に塊となって被計量物の包装時に混入する場合もある。
【００１２】
さらに、主集合シュート５２４の網目は、被計量物を傷付ける可能性が高く、被計量物の欠片または屑をさらに発生させ、被計量物を包装する際のシール部に欠片または屑が噛み込み、袋を密閉できないという不具合も生じる。
【００１３】
本発明の目的は、被計量物の欠片または屑の発生を抑制するとともに被計量物の欠片または屑を確実に除去することができ、被計量物への添加物の塊の混入を防止することができる組合せ計量機を提供することである。
【００１４】
【課題を解決するための手段】
（第１の発明）
本発明に係る組合せ計量機は、被計量物をそれぞれ計量する複数の計量部と、複数の計量部のうち選択された計量部から排出された被計量物を集合させる集合部とを備え、集合部は、選択された計量部から排出された被計量物が滑走する傾斜した滑走路を有し、滑走路中に間隙が設けられたものである。
【００１５】
本発明に係る組合せ計量機においては、被計量物が複数の計量部によりそれぞれ計量され、計量部のうち選択された計量部から排出された被計量物が集合部により集合される。
【００１６】
この場合、集合部は、計量部から排出された被計量物が滑走する傾斜した滑走路を有し、滑走路中に間隙が設けられている。それにより、正常な被計量物は間隙から落下することなく滑走路を滑走し、欠片および屑は間隙から自然落下する。したがって、集合部において欠片および屑を確実に除去し、正常な被計量物のみを集合させることができる。また、滑走路を網材により形成する必要がないので、被計量物が滑走中に損傷を受けることがなく、損傷による欠片および屑の発生を抑制することができる。さらに、添加物の塊も間隙で自然落下するので、被計量物への添加物の塊の混入を防止することができる。
【００１７】
（第２の発明）
第２の発明に係る組合せ計量機は、第１の発明に係る組合せ計量機の構成において、間隙の下方に間隙からの落下物を受ける第１の受け部をさらに備えたものである。
【００１８】
この場合、被計量物の欠片および屑ならびに添加物の塊が間隙から第１の受け部に落下する。したがって、作業者は、容易に欠片および屑ならびに添加物の塊の収集を行うことができる。
【００１９】
（第３の発明）
第３の発明に係る組合せ計量機は、第１および第２の発明に係る組合せ計量機の構成において、間隙の長さを調整する調整部をさらに備えたものである。
【００２０】
この場合、被計量物の大きさに応じて正常な被計量物が間隙から落下することなく滑走路を滑走し、欠片および屑が間隙から自然落下するように調整部により間隙の長さを調整することができる。したがって、種々の大きさの被計量物を計量することができる。
【００２１】
（第４の発明）
第４の発明に係る組合せ計量機は、第１〜第３のいずれかの発明に係る組合せ計量機の構成において、複数の計量部の各々は、外側容器と、外側容器の底部に開閉自在に設けられた扉と、外側容器内に挿入された内側容器とを含み、滑走路は内側容器の下方から延びるように配置されるとともに、滑走路の両側に外側容器内で内側容器外からの落下物を受ける第２の受け部を有するものである。
【００２２】
この場合、外側容器内で内側容器内に供給された正常な被計量物および一部の欠片および屑は、滑走路を滑走し、外側容器内で内側容器外に供給された残りの欠片および屑は、滑走路の両側に設けられた第２の受け部で保持される。その結果、正常な被計量物とともに滑走路に供給される欠片および屑の量が、低減するので、間隙において欠片および屑を確実に除去することができる。
【００２３】
（第５の発明）
第５の発明に係る組合せ計量機は、第１〜第４のいずれかの発明に係る組合せ計量機の構成において、被計量物の滑走方向における間隙の長さが被計量物の長さよりも短いものである。
【００２４】
この場合、被計量物の滑走方向における間隙の長さが被計量物の長さよりも短いので、正常な被計量物を間隙から自然落下させることなく、被計量物の欠片および屑のみを間隙から自然落下させることができる。
【００２５】
（第６の発明）
第６の発明に係る組合せ計量機は、第１〜第５のいずれかの発明に係る組合せ計量機の構成において、複数の計量部は、鉛直軸を中心とする円周上に配置され、集合部は、複数の計量部の下方から鉛直軸に向かって斜め下方に傾斜する複数の第１の滑走路と、第１の滑走路の下方に配置され、漸次径小となる略円錐形状の内面を有する第２の滑走路とを含み、間隙は、第１の滑走路と第２の滑走路との間に設けられたものである。
【００２６】
複数の計量部から排出された被計量物は、斜め下方に傾斜する複数の第１の滑走路を滑走した後、第２の滑走路の漸次径小となる略円錐形状の内面を滑走することにより集合される。この場合、第１の滑走路と第２の滑走路との間に間隙が設けられているので、被計量物の欠片および屑ならびに添加物の塊を第１の滑走路と第２の滑走路との間の間隙で自然落下させることにより確実に除去することができる。
【００２７】
【発明の実施の形態】
以下、本発明の実施の形態に係る組合せ計量機について説明する。
【００２８】
図１は本発明の実施の形態に係る組合せ計量機の構成を示す模式図である。
図１に示す組合せ計量機１は、計量部１００および集合シュート部４００から構成される。集合シュート部４００は上シュート部２００および下シュート部３００を含む。また、組合せ計量機１の本体Ａは支柱Ｂに支持され、支柱Ｂは架台Ｄに支持され、架台Ｄは支柱Ｃに支持される。
【００２９】
計量部１００は本体Ａに設けられる。計量部１００は、円形の分散トラフ１０、複数の放射トラフ１１、複数のプールホッパ１２および複数の計量ホッパ１３から構成される。分散トラフ１０の上部に商品供給路２が配置されている。複数の放射トラフ１１は、分散トラフ１０の周囲に放射状に配置されている。複数のプールホッパ１２は、複数の放射トラフ１１の外側下方にそれぞれ配置されている。各プールホッパ１２の下端開口にはゲート１２ａ，１２ｂが開閉自在に設けられている。複数の計量ホッパ１３は、複数のプールホッパ１２の下方にそれぞれ配置されている。各計量ホッパ１３の下端開口にはゲート１３ａが開閉自在に設けられている。
【００３０】
上シュート部２００および下シュート部３００は架台Ｄに設けられる。上シュート部２００は、複数の粕受け上シュート２１および複数の上シュート２２から構成される。複数の粕受け上シュート２１は、複数の計量ホッパ１３の下方にそれぞれ配置されている。各粕受け上シュート２１の下端開口には開閉自在なシャッタ２４が設けられている。複数の上シュート２２は、複数の粕受け上シュート２１にそれぞれ連続するように配置されている。上シュート２２の下端開口には開閉自在なシャッタ２５が設けられている。
【００３１】
下シュート部３００は下シュート３１および屑受け３０から構成される。下シュート３１は、上部から下部に漸次径小となる略円錐形状を有する。屑受け３０は、下シュート３１の周囲に環状に配置されている。下シュート３１の下部には、開閉自在なシャッタ３２が設けられている。集合シュート部４００の詳細については後述する。
【００３２】
次いで、図１の組合せ計量機１の動作について説明する。ここでは、棒状の被計量物を計量するものとする。
【００３３】
まず、計量の対象となる棒状の被計量物が商品供給路２から分散トラフ１０に連続的に供給される。分散トラフ１０は、棒状の被計量物を一方向に揃えつつ上下方向に振動し、複数の放射トラフ１１に被計量物を搬送する。各放射トラフ１１は、上下方向に振動して棒状の被計量物をプールホッパ１２に投入する。各プールホッパ１２のゲート１２ａ，１２ｂが所定のタイミングで開くことにより被計量物が下方の計量ホッパ１３に投入される。各計量ホッパ１３は、プールホッパ１２から投入された被計量物の重量を計測する。
【００３４】
計量ホッパ１３により計測された被計量物の重量値の合計が所定の目標の重量値となるように複数の計量ホッパ１３の組合せが選択される。選択された計量ホッパ１３のゲート１３ａがほぼ同時に開くことにより、選択された計量ホッパ１３内の被計量物が粕受け上シュート２１にそれぞれ投下される。それにより、被計量物は粕受け上シュート２１上および上シュート２２上を滑走する。
【００３５】
なお、シャッタ２４，２５が閉じている場合、被計量物はそれぞれシャッタ２４，２５で滑走を停止する。シャッタ２４，２５が開くと、被計量物は粕受け上シュート２１上および上シュート２２上を順に滑走し、さらに下シュート３１を滑走してシャッタ３２で停止する。シャッタ３２が開くと、被計量物は包装装置（図示せず）に供給される。
【００３６】
次に、図２は図１の集合シュート部４００を拡大した模式図である。
上シュート部２００の粕受け上シュート２１の下端には、被計量物７が滑らかに滑走するように上シュート２２が連結されている。また、粕受け上シュート２１の下端開口には、開閉自在なシャッタ２４が設けられている。シャッタ開閉装置２４Ｍによってシャッタ２４が矢印Ｘの方向に開かれた場合、被計量物７が粕受け上シュート２１から上シュート２２に滑走可能となる。
【００３７】
また、上シュート２２の下端開口にも、開閉自在なシャッタ２５が設けられている。シャッタ開閉装置２５Ｍによってシャッタ２５が矢印Ｘの方向に開かれた場合、被計量物７が上シュート２２から下シュート３１に滑走可能となる。
【００３８】
ここで、上シュート２２と下シュート３１との間には、一定の間隙２８が形成されている。この間隙２８の長さは、上シュート２２を滑走する被計量物７に応じて決定される。そのため、間隙２８の長さは、後述するように調整することができる。
【００３９】
正常な被計量物７は、上シュート２２から間隙２８を介して下シュート３１を滑走して包装装置へ供給され、被計量物７の欠片８または屑９は、上シュート２２から下シュート３１に到達できず、間隙２８から下方に自然落下することとなる。下方に自然落下した被計量物７の欠片８または屑９は、下シュート３１の周囲に設けられた屑受け３０に蓄積され、作業員によって除去される。
【００４０】
また、被計量物から分離した粉体の調味料および集積した調味料等の塊も間隙２８から下方に自然落下し、屑受け３０に蓄積される。
【００４１】
図３は間隙２８の調整機構の例を示す模式図である。図３（ａ）は間隙２８の調整前の初期状態を示し、図３（ｂ）は間隙２８の長さを長くした状態を示し、図３（ｃ）は間隙２８の長さを短くした状態を示す。
【００４２】
図３に示す間隙２８の調整機構５５は、回転軸５０、ギア５１およびラック５２を備える。図３（ａ）に示すように、上シュート２２の外面にラック５２が取り付けられ、ラック５２に噛み合うように回転軸５０にギア５１が取り付けられている。なお、回転軸５０は、例えば作業者が手動で回転できるものである。
【００４３】
例えば、図３（ｂ）に示すように、回転軸５０を時計回り（矢印Ｙの方向）に回転させた場合、上シュート部２２は斜め上方向に移動し、間隙２８の長さＬは長くなる。一方、図３（ｃ）に示すように、回転軸５０を反時計回り（矢印Ｚの方向）に回転させた場合、上シュート部２２は斜め下方向に移動し、間隙２８の長さＬは短くなる。
【００４４】
このような調整機構５５により間隙２８の長さＬを被計量物の長さよりも短く調整することができる。それにより、正常な被計量物を上シュート部２２から下シュート３１に供給し、欠片および屑を間隙２８から落下させることができる。
【００４５】
調整機構５５によれば、容易に間隙２８の長さＬを調整することができるため、異なる長さの被計量物を計量する場合でも、容易に間隙２８の長さＬを調整して、被計量物の欠片または屑を正常な被計量物から分離することができる。さらに、粕受けシュート２１および計量部１００を上下させずに、上シュート２２の位置のみを移動させて間隙２８の長さＬを調整することができる。
【００４６】
なお、本実施の形態においては、回転軸５０を手動で回転させることにより間隙２８の長さを調整するように構成したが、これに限定されず、被計量物に応じて操作部（図示せず）により調整量を設定するようにして、モータ等の回転駆動装置を用いて間隙２８の長さを調整してもよい。また、上シュート２２に長孔を開けてボルトで固定することにより、上シュート２２の位置を移動させて間隙２８の長さを調整してもよい。
【００４７】
図４は図１の組合せ計量機における主として粕受けシュート２１を詳細に示す図である。図４（ａ）はプールホッパ１２、計量ホッパ１３および粕受け上シュート２１の正面図、図４（ｂ）は粕受けシュート２１の斜視図、図４（ｃ）は粕受けシュート２１の断面図である。
【００４８】
まず、図４（ａ）に示すプールホッパ１２は角筒形状を有し、下端開口にゲート１２ａ，１２ｂ（図１参照）が開閉自在に設けられている。さらに、プールホッパ１２の内部には、被計量物を垂直状態に保持するために上部から下部に漸次径小となる略円筒形状の補助ホッパ１２ｉが挿入されている。また、計量ホッパ１３は角筒形状を有し、下端開口にゲート１３ａが開閉自在に設けられている。計量ホッパ１３の内部には、被計量物を垂直状態に保持するために上部から下部に漸次径小となる略円筒形状の補助ホッパ１３ｉが挿入されている。
【００４９】
次に、図４（ｂ）に示すように、粕受けシュート２１は、滑走部８１と、滑走部８１の上半部から両側に張り出た粕受け部８２とからなる。
【００５０】
滑走部８１は、両側面８１ａおよび滑走面８１ｂからなり、断面略コ字状に形成されている。滑走面８１ｂは、水平方向に対して傾斜している。
【００５１】
粕受け部８２は、水平方向に延びる粕受け面８２ｃと、滑走面８１ｂに略平行に延びる背面８２ｂと、両側面８１ａに略平行に延びる側面８２ａとからなる。
【００５２】
なお、粕受けシュート２１の滑走部８１の滑走面８１ｂの幅は、計量ホッパ１３の補助ホッパ１３ｉの下端の直径とほぼ等しく、粕受けシュート２１の粕受け部８２の両側面８２ａ間の距離は、計量ホッパ１３の下端開口１３ａの幅よりも大きいことが好ましい。
【００５３】
次に、図４の組合せ計量機における粕受けシュート２１の動作について説明する。
【００５４】
プールホッパ１２に図１の放射トラフ１１により正常な被計量物とともに被計量物の欠片８または屑９が搬送された場合、正常な被計量物および一部の欠片および屑は、プールホッパ１２内に挿入された補助ホッパ１２ｉに投入される。残りの欠片８または屑９は、プールホッパ１２内の補助ホッパ１２ｉ外に投入される。
【００５５】
そして、プールホッパ１２のゲート１２ａ，１２ｂが開放されると、補助ホッパ１２ａ内の正常な被計量物および一部の欠片および屑が計量ホッパ１３内の補助ホッパ１３ｉ内に投入される。同時にプールホッパ１２内の補助ホッパ１２ｉ外の欠片８または屑９は、計量ホッパ１３内の補助ホッパ１３ｉ外に投入される。
【００５６】
そして、計量ホッパ１３のゲート１３ａが開放されると、補助ホッパ１３ｉ内の正常な被計量物および一部の欠片及び屑が粕受けシュート２１の滑走部８１に供給される。一方、計量ホッパ１３内の補助ホッパ１３ｉ外の欠片８および屑９は、粕受けシュート２１の粕受け部８２に供給され、粕受け面８２ｃにより保持される。
【００５７】
ここで、比較のために粕受けシュートの別の例を説明する。一方、図５は粕受けシュートの別の例を詳細に示す図である。
【００５８】
図５（ａ）はプールホッパ、計量ホッパおよび粕受け上シュートの正面図、図５（ｂ）は粕受けシュートの斜視図、図５（ｃ）は粕受けシュートの断面図である。
【００５９】
図５（ａ）に示すプールホッパ１２，補助ホッパ１２ｉ，計量ホッパ１３および補助ホッパ１３ｉは、図４（ａ）のプールホッパ１２，補助ホッパ１２ｉ，計量ホッパ１３および補助ホッパ１３ｉと同様である。
【００６０】
図５（ｂ）に示すように、粕受けシュート７１の下半部は、両側面７２ａおよび滑走面７２ｂからなり、断面略コ字状に形成されている。粕受けシュート７１の上半部は、両側面７２ａに対して傾斜した両側面７１ａおよび滑走面７１ｂからなり、上部から下部へ両側面７２ａの幅が減少する断面略コ字状に形成されている。
【００６１】
図５の粕受けシュート７１においては、計量ホッパ１３のゲート１３ａが開放されると補助ホッパ１３ｉ内の正常な被計量物および一部の欠片および屑が粕受けシュート７１に供給されるとともに、計量ホッパ１３内の補助ホッパ１３ｉ外の欠片８または屑９も粕受けシュート７１に供給される。それにより、多くの欠片８および屑９が正常な被計量物とともに図２の上シュート２２に供給されることになる。
【００６２】
これに対して、図４に示す粕受けシュート２１においては、計量ホッパ１３の補助ホッパ１３ｉ内の正常な被計量物および一部の欠片および屑が図２の上シュート２２に供給され、計量ホッパ１３内の補助ホッパ１３ｉ外の欠片８および屑９は粕受け面８２ｃで保持され、上シュート２２へは供給されない。
【００６３】
したがって、上シュート２２へは正常な被計量物および少量の欠片および屑のみが供給され、少量の欠片または屑は、上シュート２２と下シュート３１との間の間隙２８から確実に排出される。
【００６４】
本実施の形態に係る組合せ計量機１では、被計量物の欠片および屑が上シュート２２と下シュート３１との間の間隙２８から自然落下するので、被計量物の包装時に欠片および屑が混入することが防止され、商品価値が維持される。
【００６５】
特に、図４の粕受けシュート２１を設けることにより、上シュート２２に正常な被計量物とともに供給される欠片および屑の量が低減されるので、上シュート２２と下シュート３１との間の間隙２８において欠片および屑が確実に除去される。
【００６６】
また、被計量物から分離した粉体の調味料および集積した調味料の塊が、上シュート２２と下シュート３１との間の間隙２８から自然落下するので、粉体の調味料および集積した調味料の塊が被計量物の包装時に混入することが防止される。
【００６７】
さらに、粕受け上シュート２１，上シュート２２，間隙２８および下シュート３１に網目を用いておらず、被計量物が粕受け上シュート２１，上シュート２２，間隙２８および下シュート３１上を円滑に滑走することができるので、滑走時に被計量物の損傷が発生せず、さらに被計量物の欠片および屑が発生することが防止される。
【００６８】
なお、本実施の形態においては、粕受けシュート２１を平面で構成する場合について説明したが、これに限定されず、滑走面８１ｂを断面略半円状に形成してもよい。さらに、粕受けシュート２１の滑走面８１ｂに被計量物との摩擦抵抗を低減するためエンボス加工等の処理を施してもよい。
【００６９】
本実施の形態に係る組合せ計量機においては、複数の計量ホッパ１３が複数の計量部および外側容器に相当し、複数の粕受け上シュート２１および複数の上シュート２２が複数の第１の滑走路に相当し、ゲート１３ａが扉に相当し、補助ホッパ１３ｉが内側容器に相当し、下シュート３１が第２の滑走路に相当し、調整機構５５が調整部に相当し、屑受け３０が第１の受け部に相当し、粕受け面８２ｃが第２の受け部に相当し、集合シュート部４００が集合部に相当する。
【００７０】
【発明の効果】
本発明によれば、集合部は、計量部から排出された被計量物が滑走する傾斜した滑走路を有し、滑走路中に間隙が設けられるので、滑走路を滑走する被計量物の欠片および屑を間隙で自然落下させることにより確実に除去することができる。また、間隙以外に滑走面を変化させる必要がないので、被計量物に対する損傷による欠片および屑の発生を抑制できる。さらに、滑走路中に蓄積される添加物の塊を間隙で自然落下させることができるので、被計量物への添加物の塊の混入を防止することができる。
【図面の簡単な説明】
【図１】本発明の実施の形態に係る組合せ計量機の構成を示す模式図である。
【図２】図１の集合シュート部を拡大した模式図である。
【図３】間隙の調整機構の例を示す模式図である。
【図４】図１の組合せ計量機における粕受けシュートを詳細に示す図である。
【図５】組合せ計量機における粕受けシュートの別の例を詳細に示す図である。
【図６】従来の組合せ計量機の正面図および組合せ計量機における集合シュートの斜視図である。
【符号の説明】
１　組合せ計量機
２　商品供給路
７　被計量物
８　欠片
９　屑
１０　円形の分散トラフ
１１　複数の放射トラフ
１２　複数のプールホッパ
１２ｉ，１３ｉ　補助ホッパ
１２ａ，１２ｂ，ゲート１３ａ　ゲート
１３　複数の計量ホッパ
２１　複数の粕受け上シュート
２２　複数の上シュート
２４，２５，３２　シャッタ
２４Ｍ，２５Ｍ　シャッタ開閉装置
２８　間隙
３０　屑受け
３１　下シュート
５０　回転軸
５１　ギア
５２　ラック
５５　調整機構
８１　滑走部
８１ａ　両側面
８１ｂ　滑走面
８２　粕受け部
８２ｃ　粕受け面
８２ｂ　背面
８２ａ　側面
１００　計量部
２００　上シュート部
３００　下シュート部
４００　集合シュート部
【図１】
2004093463.tif 000003
【図２】
2004093463.tif 000004
【図３】
2004093463.tif 000005
【図４】
2004093463.tif 000006
【図５】
2004093463.tif 000007
【図６】
2004093463.tif 000008